(57)【要約】【課題】かご室の袖壁内に設置する防犯カメラに対して鏡を設置することにより、防犯カメラをほぼ垂直方向に配置できるようにしたエレベータの防犯装置を得る。【解決手段】エレベータのかご室内に防犯カメラを設置したものにおいて、厚さが薄く設定されたかご室の袖壁１又は操作盤１ａと一体構成の袖壁に形成された開口部に設けられた防犯カメラカバー２と、袖壁の背面側にほぼ垂直方向でかつ該袖壁側に向けて僅かに傾斜して配置された防犯カメラ６と、防犯カメラカバーの背面側でかつ防犯カメラの直下に傾斜して設けられた鏡９、１０とを備える。【選択図】図３
2007186329.tif 000002
【特許請求の範囲】
【請求項１】
エレベータのかご室内に防犯カメラを設置したエレベータの防犯装置において、
厚さが薄く設定された前記かご室の袖壁又は操作盤と一体構成の袖壁に形成された開口部に設けられた防犯カメラカバーと、
前記袖壁の背面側にほぼ垂直方向でかつ該袖壁側に向けて僅かに傾斜して配置された防犯カメラと、
前記防犯カメラカバーの背面側でかつ前記防犯カメラの直下に傾斜して設けられた鏡と、  
を備えたことを特徴とするエレベータの防犯装置。
【請求項２】
防犯カメラカバーがスモークガラスであることを特徴とする請求項１記載のエレベータの防犯装置。
【請求項３】
鏡が凸面鏡であることを特徴とする請求項１又は請求項２記載のエレベータの防犯装置。
【請求項４】
袖壁の防犯カメラ収納部分を開き戸とし、鍵により開放できる構造としたことを特徴とする請求項１〜請求項３のいずれかに記載のエレベータの防犯装置。
【発明の詳細な説明】
【技術分野】
【０００１】
この発明は、エレベータのかご室内に防犯カメラを設置したエレベータの防犯装置に関するものである。
【背景技術】
【０００２】
従来、エレベータのかご室内に防犯カメラを設置する場合、カメラが見えて意匠性が損なわれるという問題があった。また、カメラで不審者を撮影する場合、カメラが設置されている天井に近い部分から下方向へカメラの視線を向けることになるので、不審者が深い帽子を冠り俯いていると、顔を認識できないといった問題があった。
【０００３】
また、エレベータのかご室内に防犯カメラを設置する従来技術としては、ボックス内にかご内の映像をカメラに反射させる光屈折体を設けるもの（例えば、特許文献１参照）や、かごの天井に取り付けた縦断面台形状の照明枠の側板の外側に監視カメラを斜め下向きに取り付け、かご側板の上部の内側には、監視カメラの受像面を対向する位置に反射鏡を縦に取り付けて、かごの内部の光を反射して監視カメラに入射するもの（例えば、特許文献２参照）や、かご内の出入口ドアに対し後面角部側天井部分に取り付けられたテレビカメラと、かご内の出入口ドアに近い運転盤取り付け側板の運転盤より高い位置にテレビカメラに反射可能に球面状の凸面鏡を設けたもの（例えば、特許文献３参照）等がある。
【０００４】
【特許文献１】実開平５−９５９６７号公報
【特許文献２】特開平７−２７７６３７号公報
【特許文献３】特開２００４−３３８８５８号公報
【発明の開示】
【発明が解決しようとする課題】
【０００５】
従来の防犯カメラを設置したエレベータの防犯装置では、カメラが見えて意匠性が損なわれたり（特許文献３）、防犯カメラの設置スペースが大きくなってしまう（特許文献１、２）という問題があった。
【０００６】
また、不審者が深い帽子を冠り俯いていても、顔を認識できるようにするために、防犯カメラをかご室の袖壁内に取り付けたいという要望がある。しかしながら、かご室の袖壁の厚みは背面側にかごの戸があるために薄く構成されており、袖壁内に防犯カメラを入れると、種々の問題が発生する。図５〜図７は従来例の問題点を説明するための要部断面図である。図において、１はかご室の袖壁、２は袖壁１の上部開口部に設けられた防犯カメラカバーで、例えばスモークガラス、透明アクリル板等から構成されている。５は袖壁１の背面に設けられた防犯カメラカバー押さえ、５ａは袖壁１面から飛び出した防犯カメラカバー押さえ、６は袖壁１内に設けられた防犯カメラ、７はかご室の出入口柱、８は袖板１の背面側に設けられた袖壁ボックスである。
したがって、従来例では、袖壁１内に防犯カメラ６を入れると、図５に示すように、袖壁１面から防犯カメラカバー５ａを飛び出さなければならなかった。また、最近はカメラが小型化されて来たが、未だカメラの奥行きが深く、カメラを奥行きの浅い袖壁１内に入れると、図６、図７に示すように、カメラ前面のスモークガラス、透明アクリルからなる防犯カメラカバー５に接近するため、防犯カメラ６が透けて見えるという問題があった。最近は、防犯上の理由から、かご室の袖壁内に防犯カメラの設置を要求されることが多くなって来たが、奥行きのあるカメラの場合は設置が困難であった。
【０００７】
この発明は上記のような課題を解決するためになされたもので、かご室の袖壁内に設置する防犯カメラに対して鏡を設置することにより、防犯カメラをほぼ垂直方向に配置できるようにしたエレベータの防犯装置を提供するものである。
【課題を解決するための手段】
【０００８】
この発明に係るエレベータの防犯装置は、エレベータのかご室内に防犯カメラを設置したものにおいて、厚さが薄く設定されたかご室の袖壁又は操作盤と一体構成の袖壁に形成された開口部に設けられた防犯カメラカバーと、袖壁の背面側にほぼ垂直方向でかつ該袖壁側に向けて僅かに傾斜して配置された防犯カメラと、防犯カメラカバーの背面側でかつ防犯カメラの直下に傾斜して設けられた鏡とを備えたものである。
【発明の効果】
【０００９】
この発明によれば、防犯カメラを袖壁１及び袖壁ボックス８の鉛直方向とほぼ平行でかつ僅かに傾斜するようにほぼ垂直方向に配置できる。これにより、防犯カメラの設置スペース（奥行き寸法）を薄くすることができ、背面側にかごの戸があるために厚さが薄く設定されたかご室の袖壁内の薄いスペース（奥行き寸法）でも十分に設置することが可能となる。また、袖壁の防犯カメラカバーの背面側近傍に鏡を傾斜して設置することにより、防犯カメラのカメラ視線の向きを変えることができるので、袖壁の背面の奥行き寸法を深くする必要がないという効果がある。
【発明を実施するための最良の形態】
【００１０】
実施の形態１.
図１はこの発明の実施の形態１におけるエレベータの防犯装置を示すかご内から出入口側を見た正面図、図２は防犯カメラの設置位置を変更した場合を示す図１相当の正面図、図３はこの発明の実施の形態１におけるエレベータの防犯装置の要部構造を示す縦断面図である。
【００１１】
図１は袖壁１の操作盤の上方に防犯カメラ６を設置した例であり、図２は袖壁１が操作盤と一体構成の場合で、操作盤内に防犯カメラ６を設置した例である。高度の意匠性が要求される高級かご室に関しては、防犯カメラ６は、図１、図２に示すように、袖壁や操作盤内に設置される場合がある。この発明による設置方法としては、防犯カメラ６の設置のための奥行きスペースを極力小さくしたものである。すなわち、図において、１はかご室の袖壁、１ａは袖壁１に設けられた操作盤である。なお、この操作盤１ａは、図２に示すように、袖壁１と一体構成される場合があり、この場合防犯カメラは操作盤１ａ内に設置される。２は袖壁１（又は操作盤１ａ）の上部開口部に設けられた防犯カメラカバーで、例えばスモークガラス、透明アクリル板等から構成されている。３はかご室の出入口上板、４はかごの戸、５は袖壁１（又は操作盤１ａ）の背面に設けられた防犯カメラカバー押さえ、６は袖壁１の背面側にほぼ垂直方向でかつ袖壁１側に向けて僅かに傾斜して設置された防犯カメラ、７はかご室の出入口柱、８は袖壁１の背面側に設けられた袖壁ボックス、９は防犯カメラカバー２の背面側でかつ上記防犯カメラ６の直下の袖壁ボックス８内に傾斜して設けられた平面鏡である。
【００１２】
上記のように配置構成されているので、防犯カメラ６は、袖壁１及び袖壁ボックス８の鉛直方向とほぼ平行でかつ僅かに傾斜するようにほぼ垂直方向に配置される。これにより、防犯カメラ６の設置スペース（奥行き寸法）を薄くすることができ、したがって、背面側にかごの戸があるために厚さが薄く設定されたかご室の袖壁１内の薄いスペース（奥行き寸法）でも十分に設置することが可能となる。また、袖壁１の防犯カメラカバー２の背面側近傍に平面鏡９を傾斜して設置することにより、防犯カメラ６のカメラ視線の向きを変えることができるので、袖壁１の背面の奥行き寸法を深くする必要がなくなるものである。
【００１３】
実施の形態２.
図４はこの発明の実施の形態１におけるエレベータの防犯装置の要部構造を示す縦断面図である。なお、実施の形態１と同一又は相当部分には同一符号を付して説明を省略する。
【００１４】
この実施の形態２においては、実施の形態１における平面鏡９の代わりに凸面鏡１０を設置したものである。この凸面鏡１０を適用することにより、視野角１１の狭いカメラであっても、カメラ能力以上の視野を確保することができる。  
【００１５】
実施の形態３.
なお、図示しないが、袖壁１の防犯カメラ６収納部分を開き戸とし、鍵により開放できる構造としても良い。これにより、保守時に脚立等に乗らずに防犯カメラ６の点検作業を実施することができる。  
【図面の簡単な説明】
【００１６】
【図１】この発明の実施の形態１におけるエレベータの防犯装置を示すかご内から出入口側を見た正面図である。
【図２】防犯カメラの設置位置を変更した場合を示す図１相当の正面図である。
【図３】この発明の実施の形態１におけるエレベータの防犯装置の要部構造を示す縦断面図である。
【図４】この発明の実施の形態１におけるエレベータの防犯装置の要部構造を示す縦断面図である。
【図５】従来のエレベータの防犯装置の一例を示す縦断面図である。
【図６】従来のエレベータの防犯装置の他の例を示す縦断面図である。
【図７】従来のエレベータの防犯装置の他の例を示す横断面図である。
【符号の説明】
【００１７】
１  かご室の袖壁
１ａ  操作盤
２  防犯カメラカバー
３  出入口上板
４  かごの戸
５、５ａ  防犯カメラカバー押さえ
６  防犯カメラ
７  出入口柱
８  袖壁ボックス
９  平面鏡
１０  凸面鏡
１１  視野角
【図１】
2007186329.tif 000003
【図２】
2007186329.tif 000004
【図３】
2007186329.tif 000005
【図４】
2007186329.tif 000006
【図５】
2007186329.tif 000007
【図６】
2007186329.tif 000008
【図７】
2007186329.tif 000009